(57)【特許請求の範囲】
【請求項１】
引き戸のがわに設けられ、該引き戸の戸先から、該戸先と対向する縦枠がわに進出可能であると共に、進出状態から引き戸の戸先がわに後退可能な進退作動体と、
閉じられた前記引き戸の戸先が前記縦枠から離れて引き戸が開かれていくと、前記進退作動体を、それに連動させて、引き戸の戸先から縦枠がわに進出させていく進出作動手段と、
前記進退作動体が、指挟み防止可能な寸法、引き戸の戸先から進出すると、それ以上の進出を阻止するが、後退は阻止しない、進出ストッパーと、
該進出ストッパーによる進出阻止状態において、前記進退作動体の後退を、後退阻止位置に位置して阻止すると共に、該後退阻止位置から動いて阻止解除位置に位置することにより後退阻止状態を解除する後退ストッパーと、
該後退ストッパーに対し、阻止解除位置から後退阻止位置へと付勢力を付与して該付勢力により後退ストッパーを後退阻止位置に保持する付勢手段と、
該後退ストッパーによる進出作動体の後退阻止状態を、前記付勢手段による付勢力に抗し、後退ストッパーを後退阻止位置から阻止解除位置に動かして解除操作するための解除操作部と、
が備えられ、
進退作動体を縦枠がわに進出させていく前記進出作動手段による進出力によって、前記進出ストッパーによる進退作動体の進出阻止状態と、前記後退ストッパーによる進退作動体の後退阻止状態とが形成され、戸先での指挟み事故の発生が防がれるようになされていると共に、
前記解除操作部に対する操作によって後退ストッパーによる進出作動体の後退阻止を解除した状態で、引き戸を閉じていくと、進退作動体は、その先端部が縦枠のがわに当接し押し動かされて引き戸の戸先がわに後退していくようになされている引き戸の戸先での指挟み防止機構であって、
前記進退作動体は、上下のリンクを備え、これら上下のリンクは、その一端部同士が、第１ピンにより引き戸と直交する水平軸線回りで回転可能に枢結されていると共に、下リンクの他端部が引き戸のがわに第２ピンにより引き戸と直交する水平軸線回りで回転可能に枢結され、かつ、上リンクの長さ方向中間部に設けられた第１軸部が、引き戸のがわに第２ピンよりも上方に位置して上下方向に延びるように設けられた長孔に、回転可能であって長孔に沿って移動可能に挿入保持され、
それにより、上リンクの前記一端部が上、他端部が下、下リンクの前記一端部が上、他端部が下に位置して、第１軸部が長孔内の下端部に位置した状態となって、引き戸の戸先のがわに後退した状態が形成されるようになされており、
また、その状態から、上下のリンクを、それらの前記一端部が縦枠のがわに傾倒していくように回転させていき、第１軸部が長孔内の上端部に達して第１軸部がそれ以上上方に変位するのが規制された状態になると、その規制が、前記進出ストッパーの働きをして、上リンクが前記一端部のがわに向けて斜め上方を向き、下リンクも前記一端部のがわに向けて斜め上方を向いた状態となって、縦枠のがわに進出し、それ以上の進出は阻止されるが、該進出ストッパーによっては、後退は阻止されない状態が形成されるようになされていて、引き戸を閉じていくと、進退作動体は、その先端部である、上下のリンクの前記一端部同士の枢結部が、縦枠のがわに当接し、押し動かされて、引き戸の戸先がわに後退していくようになされており、
前記進出作動手段として、縦枠のがわに磁石が設けられ、閉じられた引き戸の戸先が縦枠から離れて引き戸が開かれていくと、該磁石が、進退作動体における上下のリンク同士の枢結部を磁石吸引して、進退作動体を、引き戸の戸先から縦枠のがわに進出させていく働きをするようになされており、
前記後退ストッパーは、上下方向を向くレバー状をしていて、引き戸のがわにおいて、上下のリンクの背後に位置して備えられ、中間部が第３ピンにより引き戸と直交する水平軸線回りで回転可能に枢結され、第３ピンを挟む上がわ部分を阻止係合部とし、第３ピンを挟む下がわ部分を解除操作部とし、前記進出ストッパーによる進出阻止状態において、進退作動体の後退を、後退阻止位置に位置して上リンクの他端部と係合することによって阻止し、該後退阻止位置から回転して阻止解除位置に位置することにより後退阻止状態を解除するようになされており、
前記付勢手段の付勢力に抗して後退ストッパーの解除操作部を操作し、後退ストッパーを後退阻止位置から阻止解除位置に回転させると、後退阻止状態が解除され、後退ストッパーの解除操作部をフリーにすると、後退ストッパーは付勢手段の付勢力で阻止解除位置から後退阻止位置に復帰回転するようになされていて、解除操作部に対する操作力付与の向きは、引き戸を閉じさせていくために付与される力の向きと一致するように設定されており、
進退作動体を縦枠のがわに進出させていく磁石の吸引力による進出力によって、進出ストッパーによる進退作動体の進出阻止状態が形成されると共に、上リンクの他端部が後退ストッパーの阻止係合部をバネの付勢力に抗して動かし越えることで、後退ストッパーによる進退作動体の後退阻止状態が形成されるようになされていることを特徴とする、引き戸の戸先での指挟み防止機構。
【請求項２】
引き戸のがわに設けられ、該引き戸の戸先から、該戸先と対向する縦枠がわに進出可能であると共に、進出状態から引き戸の戸先がわに後退可能な進退作動体と、
閉じられた前記引き戸の戸先が前記縦枠から離れて引き戸が開かれていくと、前記進退作動体を、それに連動させて、引き戸の戸先から縦枠がわに進出させていく進出作動手段と、
前記進退作動体が、指挟み防止可能な寸法、引き戸の戸先から進出すると、それ以上の進出を阻止するが、後退は阻止しない、進出ストッパーと、
該進出ストッパーによる進出阻止状態において、前記進退作動体の後退を、後退阻止位置に位置して阻止すると共に、該後退阻止位置から動いて阻止解除位置に位置することにより後退阻止状態を解除する後退ストッパーと、
該後退ストッパーに対し、阻止解除位置から後退阻止位置へと付勢力を付与して該付勢力により後退ストッパーを後退阻止位置に保持する付勢手段と、
該後退ストッパーによる進出作動体の後退阻止状態を、前記付勢手段による付勢力に抗し、後退ストッパーを後退阻止位置から阻止解除位置に動かして解除操作するための解除操作部と、
が備えられ、
進退作動体を縦枠がわに進出させていく前記進出作動手段による進出力によって、前記進出ストッパーによる進退作動体の進出阻止状態と、前記後退ストッパーによる進退作動体の後退阻止状態とが形成され、戸先での指挟み事故の発生が防がれるようになされていると共に、
前記解除操作部に対する操作によって後退ストッパーによる進出作動体の後退阻止を解除した状態で、引き戸を閉じていくと、進退作動体は、その先端部が縦枠のがわに当接し押し動かされて引き戸の戸先がわに後退していくようになされている引き戸の戸先での指挟み防止機構であって、
引き戸開の方向に回転させて動かすことによって引き戸に開方向へのアシスト力が付与されるようになされた、アシスト機構のレバー状のアシスト操作部と、該アシスト操作部の前記動作を、進退作動体の縦枠がわへの進出動作に変換する伝動機構とが備えられ、これらアシスト操作部と伝動機構とを前記進出作動手段としており、
前記進退作動体は、上下のリンクを備え、これら上下のリンクは、その一端部同士が、第１ピンにより引き戸と直交する水平軸線回りで回転可能に枢結されていると共に、下リンクの他端部が引き戸のがわに第２ピンにより引き戸と直交する水平軸線回りで回転可能に枢結され、かつ、上リンクの長さ方向中間部に設けられた第１軸部が、引き戸のがわに第２ピンよりも上方に位置して上下方向に延びるように設けられた長孔に、回転可能であって長孔に沿って移動可能に挿入保持され、
それにより、上リンクの前記一端部が上、他端部が下、下リンクの前記一端部が上、他端部が下に位置して、第１軸部が長孔内の下端部に位置した状態となって、引き戸の戸先のがわに後退した状態が形成されるようになされており、
また、その状態から、上下のリンクを、それらの前記一端部が縦枠のがわに傾倒していくように回転させていき、第１軸部が長孔内の上端部に達して第１軸部がそれ以上上方に変位するのが規制された状態になると、その規制が、前記進出ストッパーの働きをして、上リンクが前記一端部のがわに向けて斜め上方を向き、下リンクも前記一端部のがわに向けて斜め上方を向いた状態となって、縦枠のがわに進出し、それ以上の進出は阻止されるが、該進出ストッパーによっては、後退は阻止されない状態が形成されるようになされていて、引き戸を閉じていくと、進退作動体は、その先端部である、上下のリンクの前記一端部同士の枢結部が、縦枠のがわに当接し、押し動かされて、引き戸の戸先がわに後退していくようになされており、
前記伝動機構として、前記進退作動体の下リンクの他端部には、延長リンク部が一体的に設けられ、該延長リンク部に側方に開放する切欠き部が設けられると共に、アシスト操作部の回転軸の第４ピンよりも上方に位置して第２軸部が設けられ、該第２軸部が切欠き部内に位置していて、アシスト操作部を回動させていくと、その過程で、第２軸部が下リンクの延長リンク部に作用し、下リンクを進退作動体が進出する方向に回転させるようになされており、
前記後退ストッパーは、上下方向を向くレバー状をしていて、引き戸のがわにおいて、上下のリンクの背後に位置して備えられ、中間部が第３ピンにより引き戸と直交する水平軸線回りで回転可能に枢結され、第３ピンを挟む上がわ部分を阻止係合部とし、第３ピンを挟む下がわ部分を解除操作部とし、前記進出ストッパーによる進出阻止状態において、進退作動体の後退を、後退阻止位置に位置して上リンクの他端部と係合することによって阻止し、該後退阻止位置から回転して阻止解除位置に位置することにより後退阻止状態を解除するようになされており、
前記付勢手段の付勢力に抗して後退ストッパーの解除操作部を操作し、後退ストッパーを後退阻止位置から阻止解除位置に回転させると、後退阻止状態が解除され、後退ストッパーの解除操作部をフリーにすると、後退ストッパーは付勢手段の付勢力で阻止解除位置から後退阻止位置に復帰回転するようになされていて、解除操作部に対する操作力付与の向きは、引き戸を閉じさせていくために付与される力の向きと一致するように設定されており、
アシスト操作部を引き戸を開にする方向に動かし、進退作動体が縦枠のがわに進出作動していくことにより、進出ストッパーによる進退作動体の進出阻止状態が形成されると共に、上リンクの他端部が付勢手段の付勢力に抗して後退ストッパーを動かして後退ストッパーによる進退作動体の後退阻止状態が形成されるようになされており、
前記アシスト操作部は、これが復帰回転すると第２軸部が切欠き部から退出するようになされていて、後退ストッパーによる後退阻止状態が解除されることなく維持されるようになされていることを特徴とする、引き戸の戸先での指挟み防止機構。
【請求項３】
前記引き戸が、金属製の引き違い掃き出しサッシからなる請求項１又は２に記載の、引き戸の戸先での指挟み防止機構。
【発明の詳細な説明】
【技術分野】
【０００１】
本発明は、引き戸の戸先での指挟み防止機構に関する。
【背景技術】
【０００２】
引き戸の戸先での指挟みを防止するための機構として、ダンパーによる減衰力を障子の減速に使用するようにしたダンパー式のものや、障子を固定物に衝突させることで障子の動きを止めるようにしたストッパー式のものなどが、従来より知られている。
【先行技術文献】
【特許文献】
【０００３】
【特許文献１】特開平７−１３９２４１号公報
【特許文献２】特開２００４−１２４４６２号公報
【特許文献３】特開２００１−２２０９３４号公報
【特許文献４】特開２００６−１３８１８１号公報
【特許文献５】特開２００９−５７７３７号公報
【発明の概要】
【発明が解決しようとする課題】
【０００４】
しかしながら、前者のダンパー式では、ダンパーやバネ、ギアなどが必要となって機構が複雑で高価なものになってしまうという問題があった。特に、アルミニウム等の金属からなる引き違い掃き出しサッシのように障子の重量が大きい場合は、ダンパーによる減速を効かせにくいという問題もある。
【０００５】
また、後者のストッパー式では、ストッパーが機能できる作動状態と、それが解除された作動解除状態との間での切換えのうち、作動解除状態から作動状態への切換えが必要なときに確実に行われるとは限らない機構となっているため、指を戸先がわで挟み込んでしまうおそれがないとはいえないという問題がある。特に、上記引き違い掃き出しサッシのように障子の重量が大きい場合は、動作のこのような不確実性が大きな事故を招いてしまうことにつながりやすい。
【０００６】
更に、後者のストッパー式では、作動状態から作動解除状態への切換えの操作が煩雑で、スムーズに行えないという問題もあった。
【０００７】
本発明は、上記のような問題点に鑑み、戸先での指挟み事故の発生を確実に防ぐことができる引き戸の戸先での指挟み防止機構を提供することを課題とする。
【課題を解決するための手段】
【０００８】
上記の課題は、引き戸のがわに設けられ、該引き戸の戸先から、該戸先と対向する縦枠がわに進出可能であると共に、進出状態から引き戸の戸先がわに後退可能な進退作動体と、
閉じられた前記引き戸の戸先が前記縦枠から離れて引き戸が開かれていくと、前記進退作動体を、それに連動させて、引き戸の戸先から縦枠がわに進出させていく進出作動手段と、
前記進退作動体が、指挟み防止可能な寸法、引き戸の戸先から進出すると、それ以上の進出を阻止するが、後退は阻止しない、進出ストッパーと、
該進出ストッパーによる進出阻止状態において、前記進退作動体の後退を、後退阻止位置に位置して阻止すると共に、該後退阻止位置から動いて阻止解除位置に位置することにより後退阻止状態を解除する後退ストッパーと、
該後退ストッパーに対し、阻止解除位置から後退阻止位置へと付勢力を付与して該付勢力により後退ストッパーを後退阻止位置に保持する付勢手段と、
該後退ストッパーによる進出作動体の後退阻止状態を、前記付勢手段による付勢力に抗し、後退ストッパーを後退阻止位置から阻止解除位置に動かして解除操作するための解除操作部と、
が備えられ、
進退作動体を縦枠がわに進出させていく前記進出作動手段による進出力によって、前記進出ストッパーによる進退作動体の進出阻止状態と、前記後退ストッパーによる進退作動体の後退阻止状態とが形成されるようになされていると共に、
前記解除操作部に対する操作によって後退ストッパーによる進出作動体の後退阻止を解除した状態で、引き戸を閉じていくと、進退作動体は、その先端部が縦枠のがわに当接し押し動かされて引き戸の戸先がわに後退していくようになされていることを特徴とする、引き戸の戸先での指挟み防止機構によって解決される（第１発明）。
【０００９】
この機構では、閉じられた引き戸の戸先が縦枠から離れて引き戸が開かれていくと、進出作動手段が、進退作動体を、連動させて、引き戸の戸先から縦枠がわに進出させていき、該進出作動手段による進出力によって、進出ストッパーによる進退作動体の進出阻止状態と、後退ストッパーによる進退作動体の後退阻止状態とが形成されるようになされているので、特別な操作をしなくとも、閉じられた引き戸を開いていく操作をするだけで、進退作動体が進出状態で両ストッパーによりロックされた状態が形成されて、戸先での指挟み事故の発生を確実に防ぐことができる。
【００１０】
第１発明において、前記引き戸が、金属製の引き違い掃き出しサッシからなる場合は（第２発明）、大きな事故となってしまいやすい戸先での指挟みを、確実に防ぐことができる。
【００１１】
第１，第２発明において、前記進出作動手段が、縦枠のがわに備えられた磁石からなり、前記進退作動体が該磁石の吸引力を受けて縦枠がわに進出作動していくことによって、進出ストッパーによる進退作動体の進出阻止状態と、後退ストッパーによる進退作動体の後退阻止状態とが形成されるようになされているとよい（第３発明）。
【００１２】
この場合は、縦枠がわへの進退作動体の進出作動と、両ストッパーによる進退作動体の進退阻止状態の形成を、磁石の吸引力によって、確実かつ信頼性高く行わせることができ、しかも、それを磁石を組み込んだ簡素な構造により実現をことができる。
【００１３】
第２発明において、引き戸開の方向に動かされることによって引き戸に開方向へのアシスト力が付与されるようになされたアシスト機構のアシスト操作部と、
該アシスト操作部の前記動作を、進退作動体の縦枠がわへの進出動作に変換する伝動機構と
が備えられ、これらアシスト操作部と伝動機構とを前記進出作動手段とし、前記進退作動体が、アシスト操作部を引き戸開の方向に動かして縦枠がわに進出作動していくことによって、進出ストッパーによる進退作動体の進出阻止状態と、後退ストッパーによる進退作動体の後退阻止状態とが形成されるようになされているとよい（第４発明）。
【００１４】
この場合は、アシスト機構の備えられたサッシにおいて、縦枠がわへの進退作動体の進出作動と、両ストッパーによる進退作動体の進退阻止状態の形成を、確実かつ信頼性高く行わせることができ、しかも、それをアシスト機構を構成する部材を利用した簡素な構造により実現をことができる。
【００１５】
第１〜第４発明において、前記解除操作部に対する操作力付与の向きが、引き戸を閉じさせていくために付与される力の向きと一致するように設定されているとよい（第５発明）。
【００１６】
この場合は、このように力の向きが一致するよう設定されていることによって、両ストッパーによって形成された進出状態における進退作動体の進退阻止状態解除のための操作を、引き戸を閉じさせていく操作との組み合わせにおいて、容易に行っていくことができる。
【発明の効果】
【００１７】
本発明の、引き戸の戸先での指挟み防止機構は、以上のとおりのものであるから、戸先での指挟み事故の発生を確実に防ぐことができる。
【図面の簡単な説明】
【００１８】
【図１】第１実施形態の指挟み防止機構を示すもので、図（イ）〜図（ハ）は、サッシを開いていく過程を順次に示す一部断面正面図である。
【図２】図（イ）及び図（ロ）は指挟みが防止される過程を順次に示す一部断面正面図である。
【図３】図（イ）〜図（ハ）はサッシを閉めきっていく過程を順次に示す一部断面正面図である。
【図４】第２実施形態の指挟み防止機構を示すもので、図（イ）及び図（ロ）は、サッシを開いていく過程を順次に示す一部断面正面図である。
【図５】図（イ）及び図（ロ）は指挟みが防止される過程を順次に示す一部断面正面図である。
【図６】図（イ）〜図（ハ）はサッシを閉めきっていく過程を順次に示す一部断面正面図である。
【発明を実施するための形態】
【００１９】
次に、本発明の実施形態を図面に基づいて説明する。
【００２０】
第１実施形態の指挟み防止機構を示す図１〜第３において、１は引き戸としての、アルミニウム等の金属製の引き違い掃き出しサッシであり、該サッシ１の戸先と対向するように、サッシ枠を構成する縦枠２が備えられ、サッシ１のがわに進退作動体３が設けられている。
【００２１】
進退作動体３は、上下のリンク３ａ，３ｂを用いて構成されており、これら上下のリンク３ａ，３ｂは、その一端部同士が、第１ピン３ｃによりサッシ１と直交する水平軸線回りで回転可能に枢結されていると共に、下リンク３ｂの他端部が、サッシ１のがわに、第２ピン３ｄによりサッシ１と直交する水平軸線回りで回転可能に枢結され、また、上リンク３ａの長さ方向中間部に設けられた第１軸部３ｅが、サッシ１のがわに第２ピン３ｄよりも上方に位置して上下方向に延びるように設けられた長孔３ｆに、回転可能であって長孔に沿って移動可能に挿入保持されている。
【００２２】
これにより、図１（イ）に示すように、上リンク３ａの前記一端部が上、他端部が下、下リンク３ｂの前記一端部が上、他端部が下に位置して、第１軸部３ｅが長孔３ｆ内の下端部に位置した状態となって、サッシ１の戸先のがわに後退した状態が形成されるようになされている。
【００２３】
また、その状態から、上下のリンク３ａ，３ｂを、図１（ロ）に示すように、それらの前記一端部が縦枠２のがわに傾倒していくように回転させていき、第１軸部３ｅが長孔３ｆ内の上端部に達して第１軸部３ｅがそれ以上上方に変位するのが規制された状態になると、その規制が、進出ストッパーの働きをして、上リンク３ａが前記一端部のがわに向けて斜め上方を向き、下リンク３ｂも前記一端部のがわに向けて斜め上方を向いた状態となって、縦枠２のがわに進出した状態、即ち、前記進退作動体３が、指挟み防止可能な寸法、サッシ１の戸先から進出して、それ以上の進出は阻止されるが、該進出ストッパーによっては、後退は阻止されない状態が形成されるようになされている。
【００２４】
また、このように、上リンク３ａが前記一端部のがわに向けて斜め上方を向き、下リンク３ｂも前記一端部のがわに向けて斜め上方を向いた状態となって、進出した状態が形成されることで、図３（ロ）（ハ）に示すように、サッシ１を閉じていくと、進退作動体３は、その先端部である、上下のリンク３ａ，３ｂの一端部同士の枢結部が、縦枠２のがわに当接し、押し動かされて、サッシ１の戸先がわに後退していくようになされている。
【００２５】
本実施形態では、進出作動手段として、縦枠２のがわに、磁石としての永久磁石４が設けられ、閉じられたサッシ１の戸先が縦枠２から離れてサッシ１が開かれていくと、この永久磁石４が、進退作動体３における上下のリンク３ａ，３ｂ同士の枢結部を磁石吸引して、進退作動体３を、サッシ１の戸先から縦枠２のがわに進出させていく働きをするようになされている。
【００２６】
そして、５が後退ストッパーであり、該後退ストッパー５は、上下方向を向くレバー状をしていて、サッシ１のがわにおいて、上下のリンク３ａ，３ｂの背後に位置して備えられ、中間部が第３ピン５ａによりサッシ１と直交する水平軸線回りで回転可能に枢結され、第３ピン５ａを挟む上がわ部分を阻止係合部５ｂとし、第３ピン５ａを挟む下がわ部分を解除操作部５ｃとし、進出ストッパーによる図１（ロ）（ハ）に示すような進出阻止状態において、進退作動体３の後退を、同図に示すような後退阻止位置に位置して、上リンク３ａの他端部と係合することによって阻止し、該後退阻止位置から回転して図３（ロ）（ハ）に示すような阻止解除位置に位置することにより後退阻止状態を解除するようになされている。
【００２７】
また、該後退ストッパー５に対し、図３（ロ）（ハ）に示すような阻止解除位置から図１（ロ）（ハ）に示すような後退阻止位置へと付勢力を付与し、該付勢力により後退ストッパー５を図１（ロ）（ハ）に示すような後退阻止位置に保持する付勢手段としてのバネ６が備えられ、該バネ６の付勢力に抗して、後退ストッパー５の解除操作部５ｃを押して、図３（ロ）（ハ）に示すように、後退ストッパー５を後退阻止位置から阻止解除位置に回転させると、後退阻止状態が解除され、後退ストッパー５の解除操作部５ｃをフリーにすると、後退ストッパー５はバネ６の付勢力で阻止解除位置から後退阻止位置に復帰回転するようになされている。
【００２８】
ここに、解除操作部５ｃに対する操作力付与の向きは、図３（ロ）（ハ）に示すように、サッシ１を閉じさせていくために付与される力の向きと一致するように設定されている。
【００２９】
そして、進退作動体３を縦枠２のがわに進出させていく永久磁石４の吸引力による進出力によって、進出ストッパー３ｅ，３ｆ…による進退作動体３の進出阻止状態が形成されると共に、上リンク３ａの他端部が後退ストッパー５の阻止係合部５ｂをバネ６の付勢力に抗して動かし越えることで、後退ストッパー５による進退作動体３の後退阻止状態が形成されるようになされている。
【００３０】
上記の機構では、図１（イ）〜（ハ）に示すように、閉じられたサッシ１を開いていき、該サッシ１の戸先を縦枠２から離していくと、永久磁石４が、進退作動体３を、連動させて、サッシ１の戸先から縦枠２のがわに進出させていき、該永久磁石４による吸引進出力によって、進出ストッパー３ｅ，３ｆ…による進退作動体３の進出阻止状態と、後退ストッパー５による進退作動体３の後退阻止状態とが形成されるようになされており、その状態から、図２（イ）（ロ）に示すように、サッシ１に閉じさせる方向の力を付与してサッシ１を閉じていくと、進退作動体３を構成している上下のリンク３ａ，３ｂ同士の枢着部が縦枠２に当接するが、進退作動体３は、後退ストッパー５によって後退を阻止された状態となっているので、後退せず、サッシ１の戸先と縦枠２との間にヒトの指か存在していても、進退作動体３がサッシ１の戸先と縦枠２との間の間隔を保持するスペーサーとして働いて、指挟み事故の発生が防がれる。
【００３１】
そして、サッシ１を閉めきるときは、図３（イ）に示すように、サッシ１に閉じる方向への力を付与してサッシ１を移動させていくと共に、図３（ロ）に示すように、後退ストッパー５の解除操作部５ｃを、バネ６に付勢力に抗して押し、後退ストッパー５を後退解除位置に位置させれば、進退作動体３は後退阻止状態を解除されて、進退作動体３における上下のリンク３ａ，３ｂ同士の枢結部が、縦枠２に押され、進退作動体３は、図３（ハ）に示すように、サッシ１の戸先がわに後退して、閉めきり状態が形成される。
【００３２】
このように、上記の機構によれば、閉じられたサッシ１の戸先が縦枠２から離れてサッシ１が開かれていくと、永久磁石４が、進退作動体３を、連動させて、サッシ１の戸先から縦枠２のがわに進出させていき、該永久磁石４による吸引進出力によって、進出ストッパー３ｅ，３ｆ…による進退作動体３の進出阻止状態と、後退ストッパー５による進退作動体３の後退阻止状態とが形成されるようになされているので、特別な操作をしなくとも、閉じられたサッシ１を開いていく操作を行うだけで、進退作動体３が進出状態で両ストッパー３ｅ，３ｆ…；５によりロックされた状態が形成されて、戸先での指挟み事故の発生を確実に防ぐことができる。特に、本実施形態では、引き戸が、重量の大きい金属製の引き違い掃き出しサッシ１からなっており、大きな事故となってしまいやすい戸先での指挟みを、こうして確実に防ぐことができる。
【００３３】
また、本実施形態では、永久磁石４を進出作動手段として採用した構造としているので、両ストッパー３ｅ，３ｆ…；５による進退作動体３の進退阻止状態の形成を、永久磁石４の吸引力によって、確実かつ信頼性高く行わせることができ、しかも、それを永久磁石４を縦枠２のがわに組み込んだ簡素な構造により実現することができる。
【００３４】
更に、本実施形態では、図３（ロ）（ハ）に示すように、後退ストッパー５における解除操作部５ｃに対する操作力付与の向きを、サッシ１を閉じさせていくために付与される力の向きと一致するように設定しているので、両ストッパー３ｅ，３ｆ…；５によって形成された進出状態における進退作動体３の進退阻止状態解除のための操作を、サッシ１を閉じさせていく操作との組み合わせにおいて、容易に行っていくことができる。
【００３５】
図４〜図６に示す第２実施形態の機構では、アシスト機構が備えられており、レバー状のアシスト操作部７を、サッシ開の方向に回転させて動かすことによって、サッシ１に開方向へのアシスト力が付与されるようになされている。
【００３６】
そして、アシスト操作部７の前記動作を、進退作動体３の縦枠２がわへの進出動作に変換するため、進退作動体３の下リンク３ｂの他端部には、延長リンク部３ｇが一体的に設けられ、該延長リンク部３ｇに側方に開放する切欠き部３ｈが設けられると共に、アシスト操作部７の回転軸の第４ピン７ａよりも上方に位置して第２軸部７ｂが設けられ、該第２軸部７ｂが切欠き部３ｈ内に位置していて、アシスト操作部７を回動させていくと、その過程で、第２軸部７ｂが下リンク３ｂの延長リンク部３ｇに作用し、下リンク３ｂを進退作動体３が進出する方向に回転させるようになされて、伝動機構が構成され、該伝動機構と前記アシスト操作部７とが、永久磁石に代って、進出作動手段を構成している。
【００３７】
そして、図４（ロ）に示すように、アシスト操作部７をサッシ１を開にする方向に動かし、進退作動体３が、縦枠２のがわに進出作動していくことによって、進出ストッパー３ｅ，３ｆ…による進退作動体３の進出阻止状態が形成されると共に、上リンク３ａの他端部がバネ６の付勢力に抗して後退ストッパー５を動かすことによって後退ストッパー５による進退作動体３の後退阻止状態が形成されるようになされている。
【００３８】
なお、アシスト操作部７は、これを復帰方向に回転させると第２軸部７ｂが切欠き部３ｈから退出するようになされて、後退ストッパー５による後退阻止状態が解除されることなく維持されるようになされている。その他は、第１実施形態と同様である。
【００３９】
本実施形態の構成よれば、アシスト機構の備えられた引き戸において、縦枠２がわへの進退作動体３の進出作動と、両ストッパー３ｅ，３ｆ…；５による進退作動体３の進退阻止状態の形成を、確実かつ信頼性高く行わせることができ、しかも、それをアシスト機構を構成する部材であるアシスト操作部７を利用した簡素な構造により実現をことができる。
【００４０】
以上に、本発明の実施形態を示したが、本発明はこれに限られるものではなく、発明思想を逸脱しない範囲で各種の変更が可能である。例えば、上記の実施形態では、進退作動体を、上下のリンク３ａ，３ｂによって構成した場合をしめしたが、各種耐用進退作動体が採用されてよい。
【００４１】
また、上記の実施形態ては、進出作動手段として、永久磁石４によるもの、及び、アシスト操作部７と伝動機構とによるものを示したが、第１，第２発明では、バネの付勢力を利用した進出作動手段が採用されてもよいし、自重による回転モーメントを利用した進出作動手段などであってもよい。
【００４２】
更に、上記の実施形態では、引き戸が、金属製の引き違い掃き出しサッシ１からなる場合を示したが、第１発明では、引き戸は、各種の引き戸であってよい。
【符号の説明】
【００４３】
１…引き違い掃き出しサッシ（引き戸）
２…縦枠
３…進退作動体
３ｅ…第１軸部（進出ストッパー）
３ｆ…長孔（進出ストッパー）
４…永久磁石（磁石）
５…後退ストッパー
５ｃ…解除操作部
６…バネ（付勢手段）
７…アシスト操作部
【図１】
0005797927.tif 000002
【図２】
0005797927.tif 000003
【図３】
0005797927.tif 000004
【図４】
0005797927.tif 000005
【図５】
0005797927.tif 000006
【図６】
0005797927.tif 000007